(57)【要約】【課題】発光ダイオードを用いて到達距離を長くでき、かつ照射範囲を絞ることができる光学装置及び通信システムを提供することを目的とする。【解決手段】基端側に発光ダイオードが設けられ該発光ダイオードが発する光線を絞る絞り部が先端側に設けられた第一鏡胴と、該第一鏡胴の先端側に設けられ、前記絞り部を通過した光線の広がり角を抑えて出射する平凸レンズを先端部に備えるとともに、前記絞り部から前記平凸レンズまでの離間距離を前記絞り部からの光線の光軸に沿って可変する調整構造を備えた第二鏡胴と、を備えている。【選択図】図３
2019152757.tif 000002
【特許請求の範囲】
【請求項１】
基端側に発光ダイオードが設けられ該発光ダイオードが発する光線を絞る絞り部が先端側に設けられた第一鏡胴と、
該第一鏡胴の先端側に設けられ、前記絞り部を通過した光線の広がり角を抑えて出射する平凸レンズを先端部に備えるとともに、前記絞り部から前記平凸レンズまでの離間距離を前記絞り部からの光線の光軸に沿って可変する調整構造を備えた第二鏡胴と、
を備えた光学装置。
【請求項２】
前記発光ダイオードは、赤外線を出力する赤外線ＬＥＤである請求項１に記載の光学装置。
【請求項３】
通信用のデータに基づいて前記発光ダイオードを制御して当該発光ダイオードが発する光線を変調する制御部をさらに備えた請求項１又は請求項２に記載の光学装置。
【請求項４】
前記第一鏡胴の内面は、前記発光ダイオードが発する光線を吸収する光吸収構造とされている請求項１から請求項３のいずれか一項に記載の光学装置。
【請求項５】
請求項３又は請求項４に記載の光学装置と、
前記発光ダイオードが発する光線を受信した端末から送られてくる光信号を受信する受信部と、
を備えた通信システム。
【発明の詳細な説明】
【技術分野】
【０００１】
本発明は、光線を出射する光学装置及び通信システムに関する。
【背景技術】
【０００２】
従来、銃本体の弾倉収容部に光線発射用弾倉を装着して構成した光線発射銃玩具が知られている（例えば、特許文献１参照）。
【０００３】
この光線発射銃玩具では、銃本体の引き金を引くことで、弾道管からレーザー光線を瞬間的又は短い一定時間発射するように構成されている。これにより、的を狙ってレーザー光線を発射した際に、的に設けられた光センサがレーザー光線を感知することで、的中したか否かを判定することができる。
【０００４】
この光線発射銃玩具の光学装置では、指向性が高くエネルギーが大きなレーザー光線が用いられている。このため、光線発射銃玩具を用いてバトルゲームを行おうとした場合、相手方の目を保護するためにサングラス等の着用が必要となり、煩わしいという問題があった。
【先行技術文献】
【特許文献】
【０００５】
【特許文献１】特開平７−１７４４９３号公報
【発明の概要】
【発明が解決しようとする課題】
【０００６】
このように、バトルゲームを行う際の煩わしさを解消するために、発光ダイオードを用いて光学装置を構成することが考えられる。
【０００７】
しかしながら、発光ダイオードは、指向性が低く、光線が広がってしまう。このため、到達距離が短くなるとともに、光線が予期せぬ方向へ届いてしまうという問題が生じ得る。
【０００８】
本発明は、発光ダイオードを用いて到達距離を長くでき、かつ照射範囲を絞ることができる光学装置及び通信システムを提供することを目的とする。
【課題を解決するための手段】
【０００９】
第一の態様は、基端側に発光ダイオードが設けられ該発光ダイオードが発する光線を絞る絞り部が先端側に設けられた第一鏡胴と、該第一鏡胴の先端側に設けられ、前記絞り部を通過した光線の広がり角を抑えて出射する平凸レンズを先端部に備えるとともに、前記絞り部から前記平凸レンズまでの離間距離を前記絞り部からの光線の光軸に沿って可変する調整構造を備えた第二鏡胴と、を備えている。
【００１０】
すなわち、発光ダイオードの発光点は、発光ダイオードの中心にあると限らず、発光ダイオードの発光点は部品毎にバラツキがある。また、発光ダイオードが発する光線は、指向性が低く、レーザー光線と比較して、広がりやすい。
【００１１】
そこで、第一鏡胴の基端側で発光ダイオードが発するとともに、広がった光線を先端側の絞り部で絞る。これにより、絞り部を起点とした光源を形成することができるので、発光点のバラツキに起因した影響を抑制することができる。
【００１２】
この絞り部から発散した光線は、第二鏡胴に設けられた平凸レンズによって広がり角が抑制される。そして、第二鏡胴は、光源となる絞り部から平凸レンズまでの離間距離を、当該絞り部からの光線の光軸に沿って可変することができる。
【００１３】
このため、絞り部から平凸レンズまでの離間距離を調整することで、焦点距離を変更することができる。これにより、当該光学装置を模型銃に用いる場合には、弾道距離が短い短銃や弾道距離が長い機関銃に合わせて焦点距離を変更することで、所定の光度が維持された光線の到達距離を変更することができる。
【００１４】
また、絞り部からレンズまでの離間距離を調整することで、光線の照射範囲を変更することができる。これにより、予期せぬ方向への光線が届くといった問題の発生を抑制することができる。
【００１５】
第二の態様は、前記発光ダイオードは、赤外線を出力する赤外線ＬＥＤである。
【００１６】
すなわち、使用される発光ダイオードは、可視光線を出力するものに限られず、赤外線を出力するものであってもよい。
【００１７】
この場合、出射された赤外線を目視することができない。このため、例えば当該光学装置を用いた模型銃によってバトルゲームをする際には、攻撃者の位置が分かってしまうという不具合を抑制することができる。
【００１８】
第三の態様は、通信用のデータに基づいて前記発光ダイオードを制御して当該発光ダイオードが発する光線を変調する制御部をさらに備えている。
【００１９】
すなわち、光線に通信用のデータを重畳して出射することができる。
【００２０】
このため、当該光学装置を用いた模型銃でバトルゲームをする際に、模型銃を特定するためのデータを光線に重畳すれば、被弾者において誰から攻撃を受けたかを認識することができる。これにより、チーム分けをしたバトルゲームにおいて、チーム毎の成績を的中率によって定めるなどの利用が可能となる。
【００２１】
第四の態様は、前記第一鏡胴の内面は、前記発光ダイオードが発する光線を吸収する光吸収構造とされている。
【００２２】
すなわち、発光ダイオードからは、データが重畳された光線が出力される。このため、第一鏡胴の内面で光線が乱反射して干渉すると、データが正確に伝わらない虞が生ずる。
【００２３】
そこで、第一鏡胴の内面を、発光ダイオードが発する光線を吸収する光吸収構造とすることで、乱反射を抑制し、データの誤送信を抑制することができる。
【００２４】
第五の態様は、第四の態様の光学装置と、前記発光ダイオードが発する光線を受信した端末から送られてくる光信号を受信する受信部と、を備えている。
【００２５】
すなわち、発光ダイオードが発する光線に重畳したデータを端末に送るとともに、当該端末から送られて来た光信号を受信部で受信することで、光信号に含まれたデータを受け取ることができる。これにより、光学装置からの光線の到達範囲内において、端末と通信することができる。
【００２６】
このとき、光学装置において、絞り部からレンズまでの離間距離を調整することで、光線の照射範囲を変更することができる。これにより、通信を可能とする範囲を制限することができるので、電波を用いた通信方式（例えばＷｉＦｉ）と比較して、通信内容の漏洩を抑制することができる。
【発明の効果】
【００２７】
本発明では上記構成としたので、発光ダイオードを用いて到達距離を長くでき、かつ照射範囲を絞ることができる。
【図面の簡単な説明】
【００２８】
【図１】第一実施形態の光学装置を適用した短銃型模型銃を示す側面図である。
【図２】第一実施形態の光学装置を適用した機関銃型模型銃を示す側面図である。
【図３】第一実施形態の光学装置を示す要部の断面図である。
【図４】第一実施形態の光学装置において、２００ｍ先の照射位置での光の状態を計算したシュミュレーション結果を示す説明図である。
【図５】第二実施形態の光学装置を用いた通信システムを示すブロック図である。
【発明を実施するための形態】
【００２９】
＜第一実施形態＞
以下、第一実施形態を図面に従って説明する。図１は、本実施形態に係る光学装置１０（図３参照）を適用した短銃型模型銃１２を示す図であり、短銃型模型銃１２のインナーバレルには、後述する光学装置１０が設けられている。これにより、短銃型模型銃１２の引き金１４を引いた際に、光学装置１０が発する光線Ｂを銃口１８から出射できるように構成されている。
【００３０】
この短銃型模型銃１２では、弾道距離Ｌの設定が比較的短い５０ｍとされており、５０ｍ先での光線Ｂの照射範囲の直径Ｄが、５ｍｍとなるように設定されている。
【００３１】
なお、照射範囲の外周部には、収差によって広がった領域が形成されており、この広がった領域を含めた直径は、約１５０ｍｍである。
【００３２】
図２は、本実施形態に係る光学装置１０を適用した機関銃型模型銃２４を示す図であり、機関銃型模型銃２４のインナーバレルには、後述する光学装置１０が設けられている。これにより、機関銃型模型銃２４の引き金１４を引いた際に、光学装置１０が発する光線Ｂを、サイレンサー２６を介して出射できるように構成されている。
【００３３】
なお、光学装置１０は、機関銃型模型銃２４に取り付けられたサイレンサー２６に内蔵してもよい。
【００３４】
この機関銃型模型銃２４では、弾道距離Ｌの設定が比較的長い２００ｍとされており、２００ｍ先での光線Ｂの照射範囲の直径Ｄが、５ｍｍとなるように設定されている。
【００３５】
前述と同様に、照射範囲の外周部には、収差によって広がった領域が形成されており、この広がった領域を含めた直径は、約１５０ｍｍである。
【００３６】
図３は、各模型銃１２、２４で使用される光学装置１０を示す図であり、光学装置１０は、基端側を構成する第一鏡胴３０と、前端側を構成する第二鏡胴３２とを備えている。
【００３７】
第一鏡胴３０は、円筒状に形成されている。第一鏡胴３０の先端面３０Ａには、先端へ向けて突出する凸部３４が一体形成されており、凸部３４は、当該第一鏡胴３０の中心線Ｃを中心とした円柱状とされている。凸部３４の外周面には、雄ネジ３４Ａが全長に渡って形成されている。
【００３８】
第一鏡胴３０の基端面３０Ｂには、基板装着穴３６が形成されており、基板装着穴３６は、当該第一鏡胴３０の中心線Ｃを中心とした円形とされている。基板装着穴３６には、基板３８が装着されており、この基板３８は、周縁部が基板装着穴３６の奥壁３６Ａに面接触した状態で固定されている。
【００３９】
基板装着穴３６の奥壁３６Ａには、基板装着穴３６より小径の光源収容穴４０が形成されており、光源収容穴４０は、当該第一鏡胴３０の中心線Ｃを中心とした円形とされている。この光源収容穴４０には、基板３８に実装された発光ダイオード４２が収容されており、発光ダイオード４２としては、一例として赤外線ＬＥＤが用いられている。
【００４０】
発光ダイオード４２は、半球状の発光面４２Ａが光源収容穴４０の奥壁４０Ａ側へ向けて配置されている。発光ダイオード４２は、発光面４２Ａから赤外線を発光し、その広がり角αは、３０度とされている。
【００４１】
なお、本実施形態では、赤外線を発光する赤外線ＬＥＤを使用する場合について説明したが、これに限定されるものではない。例えば、波長が、８００〜２５００ｎｍの近赤外線を発光するＬＥＤを用いてもよい。
【００４２】
光源収容穴４０の奥壁４０Ａには、光源収容穴４０より小径の個体差調整穴４４が形成されており、個体差調整穴４４は、当該第一鏡胴３０の中心線Ｃを中心とした円形とされている。
【００４３】
個体差調整穴４４の内径は、５ｍｍとされており、光源収容穴４０側の端から個体差調整穴４４の奥壁４４Ａまでの長さ寸法は、１１ｍｍとされている。これにより、広がり角αをもって広がる発光ダイオード４２からの光線Ｂは、奥壁４４Ａに達する前に、照射範囲の外周縁が個体差調整穴４４の内周面に達するように構成されている。
【００４４】
この個体差調整穴４４の奥壁４４Ａには、個体差調整穴４４より小径の絞り穴４６が形成されており、絞り穴４６は、当該第一鏡胴３０の中心線Ｃを中心とした円形とされている。
【００４５】
絞り穴４６は、凸部３４を貫通しており、絞り穴４６は、第一鏡胴３０の先端に開口する。絞り穴４６は、発光ダイオード４２からの光線Ｂを絞って照射範囲を調整するアパーチャーであり、絞り穴４６の直径は、用途に応じて１ｍｍ〜３ｍｍの範囲で定められる。
【００４６】
この絞り穴４６によって第一鏡胴３０の先端部には、絞り部４８が形成されており、発光ダイオード４２が発する光線Ｂは、その中心部分の光のみが絞り穴４６を通過するように構成されている。
【００４７】
第二鏡胴３２の基端面３２Ａには、ネジ穴５０が形成されており、ネジ穴５０は、当該第二鏡胴３２の中心線Ｃを中心とした円形とされている。ネジ穴５０の奥壁５０Ａには、調整穴５２が形成されており、調整穴５２は、当該第二鏡胴３２の中心線Ｃを中心とした円形とされている。
【００４８】
調整穴５２の奥側には、調整穴５２より大径のレンズ固定穴５４が形成されており、レンズ固定穴５４は、当該第二鏡胴３２の中心線Ｃを中心とした円形とされている。
【００４９】
このレンズ固定穴５４は、調整穴５２に連通しており、レンズ固定穴５４は、第二鏡胴３２の先端面３２Ｂに開口する。レンズ固定穴５４には、円形の平凸レンズ５６が設けられており、平凸レンズ５６を用いることで、球面収差を小さくする。
【００５０】
平凸レンズ５６は、先端側が中心に向かうに従って先端側へ突出する凸面５６Ａとされており、基端側は、平面５６Ｂとされている。この平凸レンズ５６は、平面５６Ｂの周縁部がレンズ固定穴５４の壁面５４Ａに面接触した状態で固定されている。
【００５１】
平凸レンズ５６は、直径寸法が、５ｍｍ、凸面５６Ａの最も突出した位置から平面５６Ｂまでの厚み寸法は、１．５ｍｍとされている。また、凸面５６Ａは、Ｒが、６．６ｍｍとされており、平面５６Ｂは、Ｒが、∞とされている。
【００５２】
平凸レンズ５６は、ガラスで形成されており、波長が７２０ｎｍにおいて、屈折率が１．５１６８とされたレンズを用いている（例えば、株式会社ノーベルアームズの品番：ＢＳＣ７若しくはＢＫ７）。平凸レンズ５６は、絞り部４８側の焦点距離が、１１ｍｍ〜１４ｍｍとされている。
【００５３】
これにより、平凸レンズ５６は、絞り部４８を通過した光線Ｂを平行光に近づけて出射できるように設計されており、絞り部４８を通過した光線Ｂの広がり角βを、発光ダイオード４２からの光線Ｂの広がり角αより抑えて出射する。
【００５４】
図４は、本実施形態に係る光学装置１０において、２００ｍ先の照射位置での光の状態を計算したシュミュレーション結果を示す図である。
計算式の条件を以下に示す。
【００５５】
レンズの直径（２×Ｈ’）  ：８．８ｍｍ
レンズの曲率Ｒ            ：６．６
レンズの屈折率Ｎ２（ｎｒ）：  １．５０６０６
計算で用いる波長λ        ：７４０ｎｍ
【００５６】
なお、近赤外線波長域７４０〜１４００ｎｍのうち最も可視光線に近い７４０ｎｍでレンズの設計を行った。
【００５７】
このシュミュレーション結果から絞り部４８から平凸レンズ５６前面までの距離ｌ２（Ｆ）が、図４で示した式の（Ｈ／Ａ）となるようにすることで、２００ｍ先の照射位置での直径（Ｈ’×２）を、１５０ｍｍとすることができる。
【００５８】
第二鏡胴３２の基端側に設けられたネジ穴５０の内周面には、雌ネジ５０Ｂが形成されており、当該ネジ穴５０に第一鏡胴３０の凸部３４を捩じ込むことで、第一鏡胴３０の雄ネジ３４Ａと第二鏡胴３２の雌ネジ５０Ｂとが螺合するように構成されている。
【００５９】
そして、第二鏡胴３２のネジ穴５０への第一鏡胴３０の凸部３４を捩じ込み量に応じて、絞り部４８から平凸レンズ５６までの離間距離ＬＫを、絞り部４８からの光線Ｂの光軸Ｂ１に沿って可変することができる。これにより、第二鏡胴３２のネジ穴５０と第一鏡胴３０の凸部３４とによって、焦点距離を調整する調整構造６２が構成されている。
【００６０】
なお、本実施形態では、発光ダイオード４２からの光線Ｂの光軸と、第一鏡胴３０の中心線Ｃと、絞り部４８からの光線Ｂの光軸Ｂ１と、第二鏡胴３２の中心線Ｃとが一致する場合を例に挙げて図示した。
【００６１】
両鏡胴３０、３２の内周面は、赤外線を吸収する光吸収面６４とされ、発光ダイオード４２からの光線Ｂを吸収する光吸収構造とされている。その具体例としては、各鏡胴３０、３２を、赤外線を吸収する黒色の合成樹脂で形成したり、各鏡胴３０、３２の内周面に赤外線を吸収する黒色に塗装したりする方法が挙げられる。
【００６２】
第一鏡胴３０に設けられた基板３８には、基板３８に設けられた発光ダイオード４２に電力を供給して発光させるドライバ６６が接続されており、ドライバ６６は、制御部６８からの信号に基づいて発光ダイオード４２を発光させる。制御部６８には、各模型銃１２、２４の引き金１４に連動してオン作動するスイッチ７０と記憶部７２とが接続されており、記憶部７２には、当該模型銃１２、２４を認識するための通信用のデータの一例である識別データが読み出し可能の記憶されている。
【００６３】
制御部６８は、ＲＯＭやＲＡＭを内蔵したマイコンで構成されており、マイコンは、ＲＯＭに記憶されたプログラムに従って動作するように構成されている。
【００６４】
これにより、制御部６８は、引き金操作に伴ってスイッチ７０がオン作動した際に、記憶部７２に記憶された識別データを読み出し、この識別データに基づく信号をドライバ６６に出力する。すると、ドライバ６６は、識別データに基づいて、発光ダイオード４２への出力を制御し、発光ダイオード４２からの光線Ｂをオンオフ制御して変調する。
【００６５】
（作用・効果）
以上の構成にかかる本実施形態の作用を説明する。
【００６６】
発光ダイオード４２の発光点は、発光ダイオード４２の中心にあると限らず、発光ダイオード４２の発光点は部品毎にバラツキが生ずる。また、発光ダイオード４２が発する光線Ｂは、指向性が低く、レーザー光線と比較して、広がりやすい。
【００６７】
そこで、第一鏡胴３０の基端側で発光ダイオード４２を発光し、広がり角αで広がった光線Ｂを絞り部４８で絞る。これにより、絞り部４８を起点とした光源を形成することができるので、発光点のバラツキに起因した光源と平凸レンズ５６との光軸ずれ等の影響を抑制することができる。
【００６８】
この絞り部４８から出力される光線Ｂは、第二鏡胴３２に設けられた平凸レンズ５６によって広がり角βが抑制される。そして、第二鏡胴３２は、光源となる絞り部４８から平凸レンズ５６までの離間距離ＬＫを、当該絞り部４８からの光線Ｂの光軸Ｂ１に沿って可変することができる。
【００６９】
このため、絞り部４８から平凸レンズ５６までの離間距離ＬＫを調整することで、焦点距離を変更することができる。これにより、当該光学装置１０を各模型銃１２、２４に用いた本実施形態では、弾道距離Ｌが短い短銃型模型銃１２や弾道距離Ｌが長い機関銃型模型銃２４に合わせて焦点距離を変更することができる。このため、所定の光度を維持した状態で光線Ｂの到達距離を変更することができる。
【００７０】
また、絞り部４８から平凸レンズ５６までの離間距離ＬＫを調整することで、光線Ｂの照射範囲の直径Ｄを変更することができる。これにより、予期せぬ方向へ光線Ｂが届いてしまうといった問題の発生を抑制することができる。
【００７１】
このため、バトルゲームにおいて、敵と共に、その近くにいる味方を射撃してしまうといったことを回避することが可能となる。
【００７２】
また、本実施形態では、発光ダイオード４２として赤外線を出力する赤外線ＬＥＤを用いている。
【００７３】
このように、使用する発光ダイオード４２は、可視光線を出力するものに限られず、赤外線を出力するものであってもよい。
【００７４】
この場合、出射された赤外線を目視することができない。このため、例えば当該光学装置１０を用いた各模型銃１２、２４によってバトルゲームをする際には、攻撃者の位置が分かってしまうという不具合を抑制することができる。
【００７５】
そして、通信用のデータに基づいて発光ダイオード４２を制御して発光ダイオード４２からの光線Ｂを変調する制御部６８をさらに備えている。
【００７６】
これにより、光線Ｂに通信用のデータを重畳して出射することができる。
【００７７】
このため、当該光学装置１０を用いた各模型銃１２、２４でバトルゲームをする際に、本実施形態のように各模型銃１２、２４を特定するための識別データを光線Ｂに重畳すれば、被弾者において誰から攻撃を受けたかを認識することができる。これにより、チーム分けをしたバトルゲームにおいて、チーム毎の成績を的中率によって定めるなどの利用が可能となる。
【００７８】
また、第一鏡胴３０の内周面は、発光ダイオード４２からの光線Ｂを吸収する光吸収面６４で構成され、光吸収構造とされている。
【００７９】
ここで、本実施形態において、発光ダイオード４２からは、識別データが重畳された光線Ｂが出力される。このため、第一鏡胴３０の内周面で光線Ｂが乱反射して干渉すると、識別データが正確に伝わらない虞が生ずる。
【００８０】
そこで、第一鏡胴３０の内周面を、発光ダイオード４２からの光線Ｂを吸収する光吸収構造とすることで、乱反射を抑制し、識別データの誤送信を抑制することができる。
【００８１】
＜第二実施形態＞
図５は、第二実施形態を示す図であり、前述した光学装置１０を用いて構築された通信システム１００の一例が示されている。この通信システム１００は、光無線通信機能を備えたスマートフォン等の携帯端末１０２を利用することで、例えば公共施設のテーブル１０４でインターネットを用いた通信を可能とするシステムである。
【００８２】
すなわち、通信システム１００は、テーブル１０４毎に前述した光学装置１０及び受信装置１０６が設けられている。光学装置１０は、図３に示したように、第一実施形態で用いた発光ダイオード４２が、携帯端末１０２と光無線通信（Ｌｉ−Ｆｉ通信）を行う際に利用する光線を発光するＬＥＤが用いられており、一例として可視光線を利用する。
【００８３】
この光学装置１０は、調整構造６２によって第二鏡胴３２のネジ穴５０への第一鏡胴３０の捩じ込み量を調整することで、図５に示したように、光学装置１０からの光線Ｂが対応するテーブル１０４の上面のみを照射するように、その照射範囲が設定されている。
【００８４】
受信装置１０６は、光無線通信（Ｌｉ−Ｆｉ通信）を行う際に携帯端末１０２の赤外線発光部から送られる光線ＢＲ、例えば近赤外線を受光する受光素子を備えており、対応するテーブル１０４上の携帯端末１０２から送られた光線ＢＲを受信できるように、その受信範囲が定められている。
【００８５】
光学装置１０には、ＬＥＤドライバ１１０が接続されており、ＬＥＤドライバ１１０には、電源部１１２から電源が供給されている。また、ＬＥＤドライバ１１０には、モデム１１４が接続されており、モデム１１４は、インターネット・サービス・プロバイダのサーバ１１６に接続されている。サーバ１１６は、ネットワークであるインターネット１１８に接続されており、モデム１１４は、サーバ１１６を経由してインターネット１１８に接続されたサーバ１２０と通信し、サーバ１２０上のコンテンツを利用できるように構成されている。
【００８６】
モデム１１４は、サーバ１１６から送信された通信データをＬＥＤドライバ１１０へ送り、ＬＥＤドライバ１１０は、この通信データをパルス信号として、光学装置１０へ出力する。このパルス信号を入力した光学装置１０は、パルス信号に応じて発光ダイオード４２を点灯し、当該発光ダイオード４２からの光線Ｂを変調する。これにより、ランプドライバに１１０よって、通信用のデータに基づいて発光ダイオード４２を制御し、発光ダイオード４２からの光線Ｂを変調する制御部が構成されている。
【００８７】
受信装置１０６は、受信部１２２に接続されており、受信部１２２は、モデム１１４に接続されている。受信部１２２は、携帯端末１０２からの光線ＢＲに重畳された通信データを取り出し、デジタル信号としてモデム１１４に出力する。
【００８８】
これにより、光学装置１０の発光ダイオード４２からの光線Ｂを受信した携帯端末１０２より送られてくる信号を受信部１２２で受信できるように構成されており、当該通信システム１００は、携帯端末との相互通信を確立することができる。
【００８９】
モデム１１４は、サーバ１１６と通信を行うように構成されており、サーバ１１６から送られた通信データは、ＬＥＤドライバ１１０を介して、対応する光学装置１０へ送る。また、モデム１１４は、携帯端末１０２から受信装置１０６及び受信部１２２を介して送られた通信データをサーバ１１６へ送る。これにより、携帯端末１０２を利用することで、端末使用者は、インターネット１１８に接続されたサーバ１２０上のコンテンツを利用することができる。
【００９０】
なお、光装置１０からの光線Ｂが携帯端末１０２に届かない、あるいは携帯端末１０２からの光線ＢＲが受信装置１０６に届かなくなった場合、通信システム１００は、携帯端末１０２との通信を終了するものとする。
【００９１】
（作用・効果）
以上の構成にかかる本実施形態の作用を説明する。
【００９２】
本実施形態で用いられた光学装置１０においては、第一実施形態と同様の作用効果を奏することができる。
【００９３】
そして、本実施形態では、光学装置１０の発光ダイオード４２からの光線Ｂに重畳した通信データを携帯端末１０２に送るとともに、この携帯端末１０２から送られて来た信号を受信することで、信号に含まれた通信データを受け取ることができる。これにより、光学装置１０からの光線Ｂの到達範囲内において、携帯端末１０２と通信することができる。
【００９４】
このとき、光学装置１０において、絞り部４８から平凸レンズ５６までの離間距離ＬＫを調整することで、光線Ｂの照射範囲を対応するテーブル１０４の上面の範囲に制限することができる。これにより、通信可能範囲を定めることができるので、電波を用いた通信方式（例えばＷｉＦｉ）と比較して、通信内容の漏洩を抑制することができる。
【符号の説明】
【００９５】
１０   光学装置
２０   弾道距離
３０   第一鏡胴
３２   第二鏡胴
３２Ａ 基端面
３２Ｂ 先端面
３４Ａ 雄ネジ
４２   発光ダイオード
４６   絞り穴
４８   絞り部
５０Ｂ 雌ネジ
５６   平凸レンズ
６２   調整構造
６４   光吸収面
６８   制御部
１００ 通信システム
１０２ 携帯端末
１０８ 光線
１２２ 受信部
Ｂ     光線
Ｂ１   光軸
ＬＫ   離間距離
【図１】
2019152757.tif 000003
【図２】
2019152757.tif 000004
【図３】
2019152757.tif 000005
【図４】
2019152757.tif 000006
【図５】
2019152757.tif 000007